(57)【要約】【課題】情報記入領域に記入すべき情報の種類によらずに情報記入領域に容易に情報を記入することができながらも、情報記入シートにおける情報記入領域のレイアウトを自由に設定する。【解決手段】  情報を記入するための告知内容記入領域１３ａ〜１３ｄが設けられた契約申込書１０と、契約申込書１０への情報の記入を案内する記入ガイド２０とからなる組シートであって、記入ガイド２０に、契約申込書１０上に重ね合わされた場合に告知内容記入領域１３ａ〜１３ｄが表出する穴部２１ａ〜２１ｄを設けるとともに、穴部２１ａから２１ｄを介して表出した告知内容記入領域１３ａ〜１３ｄへの情報の記入を案内するための案内情報となる告知質問事項２２、情報２３、質問事項２４ａ，２４ｂ、回答情報２５ａ，２５ｂ，２６ａ，２６ｂ及び矢印情報２７ａ〜２７ｇを記載する。【選択図】図１
2005305804.tif 000002
【特許請求の範囲】
【請求項１】
情報を記入するための情報記入領域が設けられた情報記入シートと、前記情報記入領域への情報の記入を案内する案内シートとからなる組シートであって、
前記案内シートは、前記情報記入シート上に重ね合わされた場合に前記情報記入領域の少なくとも一部が表出する穴部を有するとともに、前記穴部を介して表出した情報記入領域への情報の記入を案内する案内情報が記載されている組シート。
【請求項２】
請求項１に記載の組シートにおいて、
前記案内シートには、当該案内シートに記載された質問事項に対する回答または情報を記入した情報記入領域に応じて次に参照すべき案内情報を示す情報または次に情報を記入すべき情報記入領域を示す情報が前記案内情報として記載されていることを特徴とする組シート。
【請求項３】
請求項１または請求項２に記載の組シートにおいて、
前記情報記入シートと前記案内シートとは、連接部を介して折り曲げた場合に前記情報記入領域が前記穴部から表出するように互いに連接していることを特徴とする組シート。
【請求項４】
請求項１または請求項２に記載の組シートにおいて、
前記情報記入シートには、前記情報記入領域が複数設けられ、
前記案内シートは複数枚からなり、該複数枚の案内シートはそれぞれ、前記複数の情報記入領域のうち、互いに異なる情報記入領域が表出する穴部を有するとともに、前記穴部を介して表出した情報記入領域への情報の記入を案内する案内情報が記載されていることを特徴とする組シート。
【請求項５】
請求項４に記載の組シートにおいて、
前記情報記入シートと前記複数枚の案内シートとは、前記情報記入シートが最も下となるように互いに重ね合わされた状態で切り離し可能に綴じ合わされていることを特徴とする組シート。
【発明の詳細な説明】
【技術分野】
【０００１】
本発明は、情報を記入する情報記入シートと情報記入シートへの情報の記入を案内する案内シートとからなる組シートに関する。
【背景技術】
【０００２】
一般に、契約者が保険料を支払うことにより所定の保障が行われる生命保険においては、契約者が生命保険に加入する場合、保険の契約申込書に所定の情報を記入し、保険会社に提出する。この契約申込書においては、契約者や被保険者の氏名や住所等といった契約者や被保険者に関する情報を記入するための領域や、契約する保険のタイプを指定するための領域や、被保険者の過去の病歴あるいは現在の体の状態等を記入するための告知欄等が設けられており、契約者は、契約申込書にて決められた情報を決められた領域に記入することになる。
【０００３】
ここで、このような保険の契約申込書においては、契約者や被保険者に関する情報を記入するための領域等といった、契約者にとって情報の記入が容易な領域が存在する一方、告知欄等といった、契約者にとって情報の記入の仕方がわかりにくい領域が存在する。そのため、従来より、契約申込書の裏面あるいは契約申込書とは別の用紙に、契約申込書の記入方法や記入例等といった案内情報を記載しておき、契約者が契約申込書に所定の情報を容易に記入することができるようにしている。
【０００４】
また、上述したような保険の契約申込書に限らず、所定の情報を記入する情報記入シートにおいては、情報記入シートへの情報の記入を容易にするために様々な技術が考えられている。
【０００５】
例えば、質問事項がそれぞれ記載された複数枚の質問紙と、この質問紙に記載された質問事項に対する解答を記入するための解答欄が列的に設けられた解答紙とをノート状に綴じ合わせ、かつ、質問紙を解答欄に対応して１頁目から順に階段状に短くなるように幅を変化させ、それにより、見開ページの質問事項に隣接してその質問事項に対する解答を記入する解答欄を表出させる調査表が考えられている（例えば、特許文献１参照。）。この技術を用いた場合、情報を記入するための情報記入領域が列的に設けられた情報記入シートと、この情報記入シートに設けられた情報記入領域への情報の記入を案内する案内情報が記載された複数枚の案内シートとをノート状に綴じ合わせ、かつ、案内シートを情報記入領域に対応して１頁目から順に階段状に短くなるように幅を変化させ、それにより、情報記入領域に情報を記入する場合、その情報記入領域が案内シートに隣接するように案内シートを見開き、見開き頁となった案内シートに記載された案内情報に従って情報記入領域に情報を記入することができるようになる。
【０００６】
また、マークシート用紙が挿入可能に構成されるとともに、マークシート用紙が挿入された場合にマーク位置に対応する領域に穴部が形成され、それにより、マークシート用紙が挿入された場合にマーク位置が穴部から表出し、マーク位置にマークを記入しやすくするマーク記入用シートが考えられている（例えば、特許文献２参照。）。この技術を用いた場合、情報記入シートが案内シートに挿入された場合、情報記入シートのうち情報記入領域のみが、案内シートに設けられた穴部を介して表出することになり、それにより、情報記入シートのうち、情報を記入するための情報記入領域を明確にすることができる。
【特許文献１】実公昭４９−４６１８０号公報
【特許文献２】特開２００２−２３４２８５号公報
【発明の開示】
【発明が解決しようとする課題】
【０００７】
しかしながら、上述した契約申込書等の情報記入シートの裏面あるいは情報記入シートとは別の用紙に、情報記入シートの記入方法や記入例等といった案内情報を記載しておくものにおいては、情報記入シートの裏面あるいは情報記入シートとは別の用紙を参照しながら情報記入シートに情報を記入することになるため、情報記入シートへの情報の記入が容易になるとは言いがたい。
【０００８】
また、上述したような調査表の技術を用いた場合は、情報記入シートに情報を記入する際に情報が記入される情報記入領域とその情報記入領域への情報の記入を案内する案内情報とを隣接させるために情報記入領域を列的に設けなければならず、そのため、情報記入領域のレイアウトが制限されてしまうという問題点がある。
【０００９】
また、上述したようなマーク記入用シートの技術を用いた場合は、情報記入シートのうち、情報を記入するための情報記入領域が明確になるものの、案内シートには情報記入領域への情報の記入を案内するための案内情報が記載されていないため、情報記入領域に記入すべき情報の種類によっては情報の記入の仕方がわかりにくい場合が生じてしまうという問題点がある。
【００１０】
本発明は、上述したような従来の技術が有する問題点に鑑みてなされたものであって、情報を記入するための情報記入領域が設けられた情報記入シートと、情報記入シートへの情報の記入を案内する案内シートとからなる組シートにおいて、情報記入領域に記入すべき情報の種類によらずに情報記入領域に容易に情報を記入することができながらも、情報記入シートにおける情報記入領域のレイアウトを自由に設定することができる組シートを提供することを目的とする。
【課題を解決するための手段】
【００１１】
上記目的を達成するために本発明は、
情報を記入するための情報記入領域が設けられた情報記入シートと、前記情報記入領域への情報の記入を案内する案内シートとからなる組シートであって、
前記案内シートは、前記情報記入シート上に重ね合わされた場合に前記情報記入領域の少なくとも一部が表出する穴部を有するとともに、前記穴部を介して表出した情報記入領域への情報の記入を案内する案内情報が記載されている。
【００１２】
また、前記案内シートには、当該案内シートに記載された質問事項に対する回答または情報を記入した情報記入領域に応じて次に参照すべき案内情報を示す情報または次に情報を記入すべき情報記入領域を示す情報が前記案内情報として記載されていることを特徴とする。
【００１３】
また、前記情報記入シートと前記案内シートとは、連接部を介して折り曲げた場合に前記情報記入領域が前記穴部から表出するように互いに連接していることを特徴とする。
【００１４】
また、前記情報記入シートには、前記情報記入領域が複数設けられ、
前記案内シートは複数枚からなり、該複数枚の案内シートはそれぞれ、前記複数の情報記入領域のうち、互いに異なる情報記入領域が表出する穴部を有するとともに、前記穴部を介して表出した情報記入領域への情報の記入を案内する案内情報が記載されていることを特徴とする。
【００１５】
また、前記情報記入シートと前記複数枚の案内シートとは、前記情報記入シートが最も下となるように互いに重ね合わされた状態で切り離し可能に綴じ合わされていることを特徴とする。
【００１６】
上記のように構成された本発明においては、情報記入シート上に案内シートを重ね合わせると、情報記入シートに設けられた情報記入領域の少なくとも一部が、案内シートに設けられた穴部を介して表出し、案内シートに記載された案内情報に従って、表出した情報記入領域に情報を記入することになる。
【００１７】
このように、案内シートに穴部が設けられるとともに、この案内シートが情報記入シート上に重ね合わされた場合に穴部を介して表出する情報記入領域への情報の記入を案内する案内情報が記載されているので、情報記入領域に記入すべき情報の種類によらずに情報記入領域に容易に情報を記入することができながらも、情報記入シートにおける情報記入領域のレイアウトを自由に設定することができる。
【発明の効果】
【００１８】
以上説明したように本発明においては、案内シートに穴部が設けられるとともに、この案内シートが情報記入シート上に重ね合わされた場合に穴部を介して表出する情報記入領域への情報の記入を案内する案内情報が記載されている構成としたため、情報記入領域に記入すべき情報の種類によらずに情報記入領域に容易に情報を記入することができながらも、情報記入シートにおける情報記入領域のレイアウトを自由に設定することができる。
【００１９】
また、案内シートに、当該案内シートに記載された質問事項に対する回答または情報が記載された情報記入領域に応じて次に参照すべき案内情報を示す情報または次に情報を記入すべき情報記入領域を示す情報が案内情報として記載されているものにおいては、案内シートに案内情報として記載された質問事項に対する回答や情報が記入された情報記入領域に応じて次に参照すべき案内情報や次に情報を記入すべき情報記入領域を明確にすることができる。
【００２０】
また、情報記入シートと案内シートとが、連接部を介して折り曲げた場合に情報記入領域が穴部から表出するように互いに連接しているものにおいては、情報記入シート上に案内シートを重ね合わせた場合に、情報記入領域が穴部から表出するように情報記入シートと案内シートとの位置合わせを行う必要がない。
【００２１】
また、情報記入シートに情報記入領域が複数設けられ、かつ、案内シートが複数枚から構成され、複数枚の案内シートのそれぞれに、複数の情報記入領域のうち、互いに異なる情報記入領域が露出する穴部が設けられるとともに、穴部を介して露出した情報記入領域への情報の記入を案内する案内情報が記載されているものにおいては、情報記入領域毎に案内シートを設けることができ、情報記入領域への情報の記入を案内する案内情報の情報量を増やすことができる。また、案内シート毎に、互いに異なる情報記入領域のみが穴部から露出することになるため、情報記入領域への情報の記入時に、先に情報が記入された情報記入領域に手が触れることがなくなり、それにより、先に情報が記入された情報記入領域内の情報が滲んだり、インクが手に付着してしまったりする可能性を低減することができる。
【００２２】
また、情報記入シートと複数枚の案内シートとが、情報記入シートが最も下となるように互いに重ね合わされた状態で切り離し可能に綴じ合わされているものにおいては、情報記入シートが案内シートに綴じ合わされた状態で案内シートに記載された案内情報に従って情報記入領域に情報を記入することができ、その後、案内シートを切り離すことによって、他の案内シートに記載された案内情報に従って情報記入領域に情報を記入することができる。それにより、案内シートが複数枚から構成される場合であっても、情報記入シートに対する情報の記入漏れをなくすことができる。
【発明を実施するための最良の形態】
【００２３】
以下に、本発明の実施の形態について図面を参照して説明する。
【００２４】
（第１の実施の形態）
図１は、本発明の組シートの第１の実施の形態を示す図であり、（ａ）は全体の構成を説明するための斜視図、（ｂ）は（ａ）に示した契約申込書１０の構成を示す図、（ｃ）は（ａ）に示した記入ガイド２０の構成を示す図、（ｄ）は（ｂ）に示した契約申込書１０上に（ｃ）に示した記入ガイド２０を重ね合わせた状態を示す図である。
【００２５】
本形態は図１（ａ）に示すように、情報記入シートである契約申込書１０と、案内シートである記入ガイド２０とが連接部３０を介して連接して構成されている。
【００２６】
また、図１（ｂ）に示すように契約申込書１０には、契約者や被保険者の氏名や住所等といった契約者や被保険者に関する情報を記入するための契約者／被保険者情報記入領域１１と、契約する保険のタイプを指定するための契約タイプ記入領域１２と、被保険者の過去の病歴あるいは現在の体の状態等を記入するための告知欄１３とが設けられている。契約者／被保険者情報記入領域１１には、契約者や被保険者の氏名や生年月日、性別、住所等の情報を記入するための欄がそれぞれ設けられており、それぞれの欄に該当する情報を記入することになる。また、契約タイプ記入領域１２には、設定可能な保険についてその保障の内容や保険料がそれぞれ記載されており、その中から所望の保険のタイプを「○印」を記入すること等によって選択可能となっている。また、告知欄１３には、被保険者の過去の病歴あるいは現在の体の状態等についての質問事項が記載されており、また、これら質問事項に対する回答に応じて「○印」を記入すること等によっていずれかを選択する告知内容記入領域１３ａ，１３ｂと、告知内容記入領域１３ａ，１３ｂのうち告知内容記入領域１３ａを選択した場合の質問事項が記載されるとともにその質問事項に対する回答を記入するための告知内容記入領域１３ｃと、告知内容記入領域１３ａ，１３ｂのいずれを選択した場合においても回答すべき質問事項が記載されるとともにその質問事項に対する回答を記入するための告知内容記入領域１３ｄとが設けられている。なお、これらの契約者／被保険者情報記入領域１１、契約タイプ記入領域１２及び告知内容記入領域１３ａ〜１３ｄが情報記入領域となる。
【００２７】
また、図１（ｃ）に示すように記入ガイド２０には、告知欄１３に記載された質問事項が告知質問事項２２として記載されているとともに、告知質問事項２２の回答の状態についての質問事項２４ａと、質問事項２４ａに対する回答を選択するための回答情報２５ａ，２５ｂと、回答情報２５ａ，２５ｂのうち質問事項２４ａに対する回答として回答情報２５ａを選択した場合の質問事項２４ｂと、質問事項２４ｂに用いる情報２３と、質問事項２４ｂに対する回答を選択するための回答情報２６ａ，２６ｂとが記載されている。また、この記入ガイド２０が図１（ｂ）に示した契約申込書１０に重ね合わされた場合に契約申込書１０に設けられた告知内容記入領域１３ａ〜１３ｄが表出するための穴部２１ａ〜２１ｄが設けられている。また、回答情報２５ａ，２５ｂ，２６ａ，２６ｂを選択した場合に次に参照すべき領域を指し示す矢印情報２７ａ〜２７ｄと、穴部２１ａ〜２１ｃを介して表出した告知内容記入領域１３ａ〜１３ｃへの情報記入後に次に記入すべき告知内容記入領域が表出した穴部を指し示す矢印情報２７ｅ〜２７ｇとが記載されている。これらの記入ガイド２０に記載された告知質問事項２２、情報２３、質問事項２４ａ，２４ｂ、回答情報２５ａ，２５ｂ，２６ａ，２６ｂ及び矢印情報２７ａ〜２７ｇが、契約申込書１０の告知内容記入領域１３ａ〜１３ｄへの情報の記入を案内する案内情報となる。
【００２８】
以下に、上記のように構成された組シートを用いての契約申込書１０に対する情報の記入方法について説明する。
【００２９】
まず、契約申込書１０上に記入ガイド２０が重ね合わされない状態において、契約者／被保険者情報記入領域１１に、契約者や被保険者の氏名や住所等といった契約者や被保険者に関する情報を記入する。なお、契約者／被保険者情報記入領域１１には、上述したように、契約者や被保険者の氏名や生年月日、性別、住所等の情報を記入するための欄がそれぞれ設けられているため、それぞれの欄に該当する情報を記入する。
【００３０】
また、契約タイプ記入領域１２において、契約する保険のタイプを指定する。なお、契約タイプ記入領域１２には、上述したように、設定可能な保険についてその保障の内容や保険料がそれぞれ記載されており、その中から所望の保険のタイプに「○印」を記入することによって契約する保険のタイプを選択する。
【００３１】
次に、組シートを連接部３０を介して折り畳み、契約申込書１０上に記入ガイド２０を重ね合わせる。すると、図１（ｄ）に示すように、契約申込書１０に設けられた告知内容記入領域１３ａ〜１３ｄが記入ガイド２０に設けられた穴部２１ａ〜２１ｄを介してそれぞれ表出することになる。
【００３２】
この状態において、まず、告知質問事項２２に回答し、その回答の状態について質問事項２４ａに回答し、その回答として回答情報２５ａ，２５ｂのいずれか一方を選択する。ここで、告知質問事項２２は、契約申込書１０の告知欄１３に記載された、被保険者の過去の病歴あるいは現在の体の状態等についての質問事項であり、また、質問事項２４ａは、告知質問事項２２に対して１つでも当てはまる項目があるかどうかを質問するものであり、この質問事項２４ａに対して、回答情報２５ａ，２５ｂのいずれか一方を選択する。すなわち、告知質問事項２２に対して１つでも当てはまる項目がある場合は回答情報２５ａを選択し、告知質問事項２２に対して当てはまる項目が１つもない場合は回答情報２５ｂを選択することになる。
【００３３】
回答情報２５ａ，２５ｂのうち回答情報２５ａを選択した場合は、次に、矢印情報２７ａに従って質問事項２４ｂを参照し、回答する。質問事項２４ｂは、回答情報２５ａについて情報２３を用いた質問事項であって、その回答として回答情報２６ａ，２６ｂのいずれか一方を選択する。
【００３４】
回答情報２６ａ，２６ｂのうち回答情報２６ａを選択した場合は、矢印情報２７ｃに従って穴部２１ａから表出した告知内容記入領域１３ａに情報を記入する。ここで、穴部２１ａから表出した告知内容記入領域１３ａは、上述したように告知内容記入領域１３ａ，１３ｂのうち告知内容記入領域１３ａを、「○印」を記入することによって選択するための領域であるため、回答情報２６ａを選択した場合は、穴部２１ａから表出した告知内容記入領域１３ａに「○印」を記入する。
【００３５】
次に、矢印情報２７ｅに従って穴部２１ｃから表出した告知内容記入領域１３ｃに情報を記入する。ここで、穴部２１ｃから表出した告知内容記入領域１３ｃには、上述したように、告知内容記入領域１３ａ，１３ｂのうち告知内容記入領域１３ａを選択した場合の質問事項が記載されているため、この質問事項に対する回答を記入する。
【００３６】
一方、回答情報２５ａ，２５ｂのうち回答情報２５ｂを選択した場合は、矢印情報２７ｂに従って穴部２１ｂから表出した告知内容記入領域１３ｂに情報を記入する。ここで、穴部２１ａから表出した告知内容記入領域１３ｂは、上述したように告知内容記入領域１３ａ，１３ｂのうち告知内容記入領域１３ｂを、「○印」を記入することによって選択するための領域であるため、回答情報２５ｂを選択した場合は、穴部２１ｂから表出した告知内容記入領域１３ｂに「○印」を記入する。また、回答情報２６ａ，２６ｂのうち回答情報２６ｂを選択した場合においても、矢印情報２７ｄ，２７ｂに従って穴部２１ｂから表出した告知内容記入領域１３ｂに情報を記入することになる。
【００３７】
その後、穴部２１ｃから表出した告知内容記入領域１３ｃに情報を記入した場合は矢印情報２７ｆに従って、また、穴部２１ｂから表出した告知内容記入領域１３ｂに情報を記入した場合は矢印情報２７ｇに従って、穴部２１ｄから表出した告知内容記入領域１３ｄに情報を記入する。ここで、穴部２１ｄから表出した告知内容記入領域１３ｄは、上述したように、告知内容記入領域１３ａ，１３ｂのいずれを選択した場合においても回答すべき質問事項が記載されているため、その質問事項に対する回答を告知内容記入領域１３ｄに記入する。
【００３８】
このように、記入ガイド２０に記載された、告知質問事項２２、情報２３、質問事項２４ａ，２４ｂ、回答情報２５ａ，２５ｂ，２６ａ，２６ｂ及び矢印情報２７ａ〜２７ｇからなる案内情報に従って、契約申込書１０の告知欄１３に設けられた告知内容記入領域１３ａ〜１３ｄに所定の情報が記入されることになる。
【００３９】
なお、本形態においては、記入ガイド２０の穴部２１ａ〜２１ｃを介して表出した告知内容記入領域１３ａ〜１３ｃへの情報記入後に次に情報を記入すべき告知内容記入領域が矢印情報２７ｅ〜２７ｇによって指し示されているが、告知内容記入領域１３ａ〜１３ｃへの情報記入後に、記入ガイド２０に記載された質問事項等の案内情報を参照するように矢印情報を記載することも考えられる。
【００４０】
また、本形態においては、契約申込書１０と記入ガイド２０とが連接部３０にて連接されたものを例に挙げて説明したが、契約申込書１０と記入ガイド２０とが連接していなくても、互いに重ね合わされた場合に、契約申込書１０に設けられた告知内容記入領域１３ａ〜１３ｄが記入ガイド２０に設けられた穴部２１ａ〜２１ｄを介してそれぞれ表出するようなものであればよい。
【００４１】
（第２の実施の形態）
図２は、本発明の組シートの第２の実施の形態を示す図であり、（ａ）は全体の積層構造を示す図、（ｂ）は（ａ）に示した契約申込書１１０の構成を示す図、（ｃ）は（ａ）に示した記入ガイド１５０の構成を示す図、（ｄ）は（ａ）に示した記入ガイド１４０の構成を示す図、（ｅ）は（ａ）に示した記入ガイド１２０の構成を示す図である。
【００４２】
本形態は図２（ａ）に示すように、情報記入シートである契約申込書１１０上に、案内シートである記入ガイド１５０，１４０，１２０が順次重ね合わされ、一辺が綴じ部１３０によって綴じ合わされて構成されている。
【００４３】
また、図２（ｂ）に示すように契約申込書１１０には、契約者や被保険者の氏名や住所等といった契約者や被保険者に関する情報を記入するための契約者／被保険者情報記入領域１１１と、契約する保険のタイプを指定するための契約タイプ表記欄１１４と、被保険者の過去の病歴あるいは現在の体の状態等を記入するための告知欄１１３とが設けられている。契約者／被保険者情報記入領域１１１には、契約者や被保険者の氏名や生年月日、性別、住所等の情報を記入するための欄がそれぞれ設けられており、それぞれの欄に該当する情報を記入することになる。また、契約タイプ表記欄１１４には、設定可能な保険についてその保障の内容や保険料がそれぞれ記載されているとともに、その中から所望の保険のタイプをマークシート方式にて塗りつぶすこと等によって選択する契約タイプ記入領域１１２が設けられている。また、告知欄１１３には、被保険者の過去の病歴あるいは現在の体の状態等についての質問事項が記載されており、また、これら質問事項に対する回答に応じて「○印」を記入すること等によっていずれかを選択する告知内容記入領域１１３ａ，１１３ｂと、告知内容記入領域１１３ａ，１１３ｂのうち告知内容記入領域１１３ａを選択した場合の質問事項が記載されるとともにその質問事項に対する回答を記入するための告知内容記入領域１１３ｃと、告知内容記入領域１１３ａ，１１３ｂのいずれを選択した場合においても回答すべき質問事項が記載されるとともにその質問事項に対する回答を記入するための告知内容記入領域１１３ｄとが設けられている。なお、これらの契約者／被保険者情報記入領域１１１、契約タイプ記入領域１１２及び告知内容記入領域１１３ａ〜１１３ｄが情報記入領域となる。
【００４４】
また、図２（ｃ）に示すように記入ガイド１５０には、契約申込書１１０上に重ね合わされた場合に契約申込書１１０に設けられた契約者／被保険者情報記入領域１１１が表出するための穴部１５１と、記入ガイド１５０を綴じ部１３０から切り離すためのミシン目１５９が設けられているとともに、穴部１５１を介して表出した契約者／被保険者情報記入領域１１１への情報の記入を案内する案内情報１５２と、契約者／被保険者情報記入領域１１１への情報の記入例１５３と、契約者／被保険者情報記入領域１１１への情報の記入が完了した際に記入ガイド１５０をミシン目１５９によって切り離す旨を示す案内情報１５４とが記載されている。
【００４５】
また、図２（ｄ）に示すように記入ガイド１４０には、契約申込書１１０上に重ね合わされた場合に契約申込書１１０に設けられた契約タイプ記入領域１１２が表出するための穴部１４１と、記入ガイド１４０を綴じ部１３０から切り離すためのミシン目１４９が設けられているとともに、穴部１４１を介して表出した契約タイプ記入領域１１２への情報の記入を案内する案内情報１４２と、契約タイプ記入領域１１２への情報の記入例１４３と、契約タイプ記入領域１１２への情報の記入が完了した際に記入ガイド１４０をミシン目１４９によって切り離す旨を示す案内情報１４４とが記載されている。
【００４６】
また、図２（ｅ）に示すように記入ガイド１２０には、告知欄１１３に記載された質問事項が告知質問事項１２２として記載されているとともに、告知質問事項１２２の回答の状態についての質問事項１２４ａと、質問事項１２４ａに対する回答を選択するための回答情報１２５ａ，１２５ｂと、回答情報１２５ａ，１２５ｂのうち質問事項１２４ａに対する回答として回答情報１２５ａを選択した場合の質問事項１２４ｂと、質問事項１２４ｂに用いる情報１２３と、質問事項１２４ｂに対する回答を選択するための回答情報１２６ａ，１２６ｂとが記載されている。また、この記入ガイド１２０が図２（ｂ）に示した契約申込書１１０に重ね合わされた場合に契約申込書１１０に設けられた告知内容記入領域１１３ａ〜１１３ｄが表出するための穴部１２１ａ〜１２１ｄが設けられている。また、回答情報１２５ａ，１２５ｂ，１２６ａ，１２６ｂを選択した場合に次に参照すべき領域を指し示す矢印情報１２７ａ〜１２７ｄと、穴部１２１ａ〜１２１ｃを介して表出した告知内容記入領域１１３ａ〜１１３ｃへの情報記入後に次に記入すべき告知内容記入領域が表出した穴部を指し示す矢印情報１２７ｅ〜１２７ｇとが記載されている。これらの記入ガイド１２０に記載された告知質問事項１２２、情報１２３、質問事項１２４ａ，１２４ｂ、回答情報１２５ａ，１２５ｂ，１２６ａ，１２６ｂ及び矢印情報１２７ａ〜１２７ｇが、契約申込書１１０の告知内容記入領域１１３ａ〜１１３ｄへの情報の記入を案内する案内情報となる。また、記入ガイド１２０を綴じ部１３０から切り離すためのミシン目１２９が設けられている。
【００４７】
以下に、上記のように構成された組シートを用いての契約申込書１１０に対する情報の記入方法について説明する。
【００４８】
図３は、図２に示した組シートを用いての契約申込書１１０に対する情報の記入方法を説明するための図であり、（ａ）は図２に示した契約申込書１１０上に記入ガイド１５０が重ね合わされた状態を示す図、（ｂ）は図２に示した契約申込書１１０上に記入ガイド１４０が重ね合わされた状態を示す図、（ｃ）は図２に示した契約申込書１１０上に記入ガイド１２０が重ね合わされた状態を示す図である。
【００４９】
まず、図２に示した組シートのうち、記入ガイド１２０，１４０を捲り上げ、契約申込書１１０上に記入ガイド１５０のみが重ね合わされた状態とすると、図３（ａ）に示すように、契約申込書１１０に設けられた契約者／被保険者情報記入領域１１１が記入ガイド１５０に設けられた穴部１５１を介して表出することになる。その状態において、記入ガイド１５０に記載された案内情報１５２に従って、また、記入例１５３を参考にし、穴部１５１を介して表出した契約者／被保険者情報記入領域１１１に、契約者や被保険者の氏名や住所等といった契約者や被保険者に関する情報を記入する。なお、契約者／被保険者情報記入領域１１１には、上述したように、契約者や被保険者の氏名や生年月日、性別、住所等の情報を記入するための欄がそれぞれ設けられているため、それぞれの欄に該当する情報を記入する。
【００５０】
このように、記入ガイド１５０に記載された案内情報１５２及び記入例１５３に従って、契約申込書１１０に設けられた契約者／被保険者情報記入領域１１１に所定の情報が記入されることになる。
【００５１】
次に、記入ガイド１５０に記載された案内情報１５４に従って記入ガイド１５０をミシン目１５９によって切り離し、記入ガイド１４０を契約申込書１１０上に重ね合わせると、図３（ｂ）に示すように、契約申込書１１０に設けられた契約タイプ記入領域１１２が記入ガイド１４０に設けられた穴部１４１を介して表出することになる。その状態において、記入ガイド１４０に記載された案内情報１４２に従って、また、記入例１４３を参考にし、契約タイプ記入領域１１２にて契約する保険のタイプを指定する。なお、案内情報１４２には、契約申込書１１０の契約タイプ表記欄１１４に記載された、保険についてその保障の内容や保険料がそれぞれ記載されており、契約タイプ記入領域１１２のうち所望の保険のタイプに該当する領域をマークシート方式にて塗りつぶすことによって契約する保険のタイプを指定する。
【００５２】
このように、記入ガイド１４０に記載された案内情報１４２及び記入例１４３に従って、契約申込書１１０に設けられた契約タイプ記入領域１１２にて契約する保険のタイプを指定するための情報が記入されることになる。
【００５３】
次に、記入ガイド１４０に記載された案内情報１４４に従って記入ガイド１４０をミシン目１４９によって切り離し、記入ガイド１２０を契約申込書１１０上に重ね合わせると、図３（ｃ）に示すように、契約申込書１１０に設けられた告知内容記入領域１１３ａ〜１１３ｄが記入ガイド１２０に設けられた穴部１２１ａ〜１２１ｄを介してそれぞれ表出することになる。
【００５４】
この状態において、まず、告知質問事項１２２に回答し、その回答の状態について質問事項１２４ａに回答し、その回答として回答情報１２５ａ，１２５ｂのいずれか一方を選択する。ここで、告知質問事項１２２は、契約申込書１１０の告知欄１１３に記載された、被保険者の過去の病歴あるいは現在の体の状態等についての質問事項であり、また、質問事項１２４ａは、告知質問事項１２２に対して１つでも当てはまる項目があるかどうかを質問するものであり、この質問事項１２４ａに対して、回答情報１２５ａ，１２５ｂのいずれか一方を選択する。すなわち、告知質問事項１２２に対して１つでも当てはまる項目がある場合は回答情報１２５ａを選択し、告知質問事項１２２に対して当てはまる項目が１つもない場合は回答情報１２５ｂを選択することになる。
【００５５】
回答情報１２５ａ，１２５ｂのうち回答情報１２５ａを選択した場合は、次に、矢印情報１２７ａに従って質問事項１２４ｂを参照し、回答する。質問事項１２４ｂは、回答情報１２５ａについて情報１２３を用いた質問事項であって、その回答として回答情報１２６ａ，１２６ｂのいずれか一方を選択する。
【００５６】
回答情報１２６ａ，１２６ｂのうち回答情報１２６ａを選択した場合は、矢印情報１２７ｃに従って穴部１２１ａから表出した告知内容記入領域１１３ａに情報を記入する。ここで、穴部１２１ａから表出した告知内容記入領域１１３ａは、上述したように告知内容記入領域１１３ａ，１１３ｂのうち告知内容記入領域１１３ａを、「○印」を記入することによって選択するための領域であるため、回答情報１２６ａを選択した場合は、穴部１２１ａから表出した告知内容記入領域１１３ａに「○印」を記入する。
【００５７】
次に、矢印情報１２７ｅに従って穴部１２１ｃから表出した告知内容記入領域１１３ｃに情報を記入する。ここで、穴部１２１ｃから表出した告知内容記入領域１１３ｃには、上述したように、告知内容記入領域１１３ａ，１１３ｂのうち告知内容記入領域１１３ａを選択した場合の質問事項が記載されているため、この質問事項に対する回答を記入する。
【００５８】
一方、回答情報１２５ａ，１２５ｂのうち回答情報１２５ｂを選択した場合は、矢印情報１２７ｂに従って穴部１２１ｂから表出した告知内容記入領域１１３ｂに情報を記入する。ここで、穴部１２１ａから表出した告知内容記入領域１１３ｂは、上述したように告知内容記入領域１１３ａ，１１３ｂのうち告知内容記入領域１１３ｂを、「○印」を記入することによって選択するための領域であるため、回答情報１２５ｂを選択した場合は、穴部１２１ｂから表出した告知内容記入領域１１３ｂに「○印」を記入する。また、回答情報１２６ａ，１２６ｂのうち回答情報１２６ｂを選択した場合においても、矢印情報１２７ｄ，１２７ｂに従って穴部１２１ｂから表出した告知内容記入領域１１３ｂに情報を記入することになる。
【００５９】
その後、穴部１２１ｃから表出した告知内容記入領域１１３ｃに情報を記入した場合は矢印情報１２７ｆに従って、また、穴部１２１ｂから表出した告知内容記入領域１１３ｂに情報を記入した場合は矢印情報１２７ｇに従って、穴部１２１ｄから表出した告知内容記入領域１１３ｄに情報を記入する。ここで、穴部１２１ｄから表出した告知内容記入領域１１３ｄは、上述したように、告知内容記入領域１１３ａ，１１３ｂのいずれを選択した場合においても回答すべき質問事項が記載されているため、その質問事項に対する回答を告知内容記入領域１１３ｄに記入する。
【００６０】
このように、記入ガイド１２０に記載された、告知質問事項１２２、情報１２３、質問事項１２４ａ，１２４ｂ、回答情報１２５ａ，１２５ｂ，１２６ａ，１２６ｂ及び矢印情報１２７ａ〜１２７ｇからなる案内情報に従って、契約申込書１１０の告知欄１１３に設けられた告知内容記入領域１１３ａ〜１１３ｄに所定の情報が記入されることになる。
【００６１】
なお、本形態においては、記入ガイド１２０の穴部１２１ａ〜１２１ｃを介して表出した告知内容記入領域１１３ａ〜１１３ｃへの情報記入後に次に情報を記入すべき告知内容記入領域が矢印情報１２７ｅ〜１２７ｇによって指し示されているが、告知内容記入領域１１３ａ〜１１３ｃへの情報記入後に、記入ガイド１２０に記載された質問事項等の案内情報を参照するように矢印情報を記載することも考えられる。
【００６２】
また、本形態においては、契約申込書１１０と記入ガイド１２０，１４０，１５０とが綴じ部１３０にて綴じ合わされたものを例に挙げて説明したが、契約申込書１１０と記入ガイド１２０，１４０，１５０とが綴じ合わされていなくても、互いに重ね合わされた場合に、契約申込書１１０に設けられた契約者／被保険者情報記入領域１１１が記入ガイド１５０に設けられた穴部１５１を介して表出し、また、契約申込書１１０に設けられた契約タイプ記入領域１１２が記入ガイド１４０に設けられた穴部１４１を介して表出し、また、契約申込書１１０に設けられた告知内容記入領域１１３ａ〜１１３ｄが記入ガイド１２０に設けられた穴部１２１ａ〜１２１ｄを介してそれぞれ表出するようなものであればよい。
【００６３】
また、上述した２つの実施の形態においては、情報記入シートとして保険の契約申込書１０，１１０、また、案内シートとしてその契約申込書１０，１１０への情報の記入を案内する記入ガイド２０，１２０，１４０，１５０をそれぞれ例に挙げて説明したが、本発明はこれに限らず、情報記入シートが、情報を記入する情報記入領域が設けられたものであり、かつ、案内シートが、この情報記入領域への情報の記入を案内するための案内情報が記載されたものであればよい。
【図面の簡単な説明】
【００６４】
【図１】本発明の組シートの第１の実施の形態を示す図であり、（ａ）は全体の構成を説明するための斜視図、（ｂ）は（ａ）に示した契約申込書の構成を示す図、（ｃ）は（ａ）に示した記入ガイドの構成を示す図、（ｄ）は（ｂ）に示した契約申込書上に（ｃ）に示した記入ガイドを重ね合わせた状態を示す図である。
【図２】本発明の組シートの第２の実施の形態を示す図であり、（ａ）は全体の積層構造を示す図、（ｂ）は（ａ）に示した契約申込書の構成を示す図、（ｃ）〜（ｅ）は（ａ）に示した記入ガイドの構成を示す図である。
【図３】図２に示した組シートを用いての契約申込書に対する情報の記入方法を説明するための図である。
【符号の説明】
【００６５】
１０，１１０    契約申込書
１１，１１１    契約者／被保険者情報記入領域
１２，１１２    契約タイプ記入領域
１３，１１３    告知欄
１３ａ〜１３ｄ，１１３ａ〜１１３ｄ    告知内容記入領域
２０，１２０，１４０，１５０    記入ガイド
２１ａ〜２１ｄ，１２１ａ〜１２１ｄ，１４１，１５１    穴部
２２，１２２    告知質問事項
２３，１２３    情報
２４ａ，２４ｂ，１２４ａ，１２４ｂ    質問事項
２５ａ，２５ｂ，２６ａ，２６ｂ，１２５ａ，１２５ｂ，１２６ａ，１２６ｂ    回答情報
２７ａ〜２７ｇ，１２７ａ〜１２７ｇ    矢印情報
３０    連接部
１１４    契約タイプ表記欄
１２９，１４９，１５９    ミシン目
１３０    綴じ部
１４２，１４４，１５２，１５４    案内情報
１４３，１５３    記入例
【図１】
2005305804.tif 000003
【図２】
2005305804.tif 000004
【図３】
2005305804.tif 000005